(57)【要約】【課題】開封後、再封のため折り返して折癖が付いても、流路が閉塞しにくく、注ぎだすことのできる包装袋を提供する。【解決手段】注出路５のある上部を折り返し予定線１２で折り返して係止し、内容物の流出を防止した包装袋１００であって、注出路が注出路シール部６、７によって形成され、下側注出路シール部７の上縁が、折り返し予定線を越えて、直線状に形成されている。また、注出路の先端部分に注ぎ口４が設けられ、注ぎ口が包装袋の下部の幅より、外側に位置している。更に、注ぎ口の設けられた側の左サイドシール部１に接続し、シール部により囲まれた未シール部１０が設けられ、未シール部の表フィルムに、折り返した注ぎ口を差し込み係止する差込部１１を設けた。【選択図】図１
2016108011.tif 000002
【特許請求の範囲】
【請求項１】
注出路のある上部を折り返し予定線で折り返して係止し、内容物の流出を防止した包装袋であって、
前記注出路が注出路シール部によって形成され、前記注出路の下側に位置する前記注出路シール部の上縁が、前記折り返し予定線を越えて、直線状に形成されていることを特徴とする包装袋。
【請求項２】
前記注出路の先端部分に注ぎ口が設けられ、該注ぎ口が包装袋の下部の幅より、外側に位置していることを特徴とする請求項１に記載の包装袋。
【請求項３】
前記注ぎ口の設けられた側のサイドシール部に接続し、シール部により囲まれた未シール部が設けられ、該未シール部の表裏いずれかのフィルムに、折り返した注ぎ口を差し込み係止する差込部を設けたことを特徴とする請求項１または２に記載の包装袋。
【請求項４】
注ぎ口を開封したときに、下側の前記注出路シール部とサイドシール部が凹部を形成し、前記折り返し予定線が、前記凹部に位置することを特徴とする請求項１から３のいずれか１項に記載の包装袋。
【請求項５】
前記折り返し予定線の位置にハーフカット線を設けたことを特徴とする請求項１から４のいずれか１項に記載の包装袋。
【請求項６】
前記包装袋の底部に、二つ折りした底テープの折り部を上にして差し込み、舟底型にシールした底シール部を設けたことを特徴とする請求項１から５のいずれか１項に記載の包装袋。
【請求項７】
１枚のフィルムを折って、折部が前記注ぎ口の上端になるようにして、前記包装袋の天部を形成したことを特徴とする請求項１から６のいずれか１項に記載の包装袋。
【発明の詳細な説明】
【技術分野】
【０００１】
本発明は、包装袋に関するものである。更に詳しくは再封機能を有する包装袋に関するものである。
【背景技術】
【０００２】
シャンプー、リンス、ボディソープ、液体洗剤、柔軟剤に代表されるトイレタリー製品などの液体内容物を収納する包装袋があるが、通常の包装袋は開封後、再封することが出来ない。
【０００３】
これを解決するために、色々な改良が行われている。例えば包装袋に注出路を設けて、注出路の先端にスクリューキャップ付きスパウトを設け、再封出来るようにしたものがある。また、開口部の近傍にチャックを設けておき、チャックにより再封する包装袋もあった。
【０００４】
これらは、表裏のフィルム以外にキャップとスパウトや、チャックテープなどの部材が必要で、これらを接着するための加工工程も必要となり、コストがかかるので、ある程度内容物の価格が高いものでないと使用が難しいという問題があった。
【０００５】
そのため、部材などを使用することなく、注出口を下向きになるようにして包装袋を折り曲げて係止できるようにした包装袋がある。たとえば、包装袋が、上部に注出口となる開口部を有し、注出口を巻き込むように、胴部を上端から２回以上折り畳んだ状態を保持する折り畳み状態保持機構を有し、折り畳み状態保持機構が胴部の折り畳みにより重なり合うサイドシールを互いに掛合又は嵌合させるサイドシール固定機構からなる包装袋がある（特許文献１）。
【０００６】
しかし、この包装袋では、折り曲げたときにフィルムに折癖が付き、この折癖が再度注ぎだすときに、流路を閉塞して注ぎにくくしてしまうといった問題があった。これは注ぎだすときの流路の下側のシール部と折込予定線の交点の周辺箇所において、折りによる負荷が加わることで、折癖が発生し、閉塞を引き起こしているものと考えられる。
【０００７】
公知文献を以下に示す。
【先行技術文献】
【特許文献】
【０００８】
【特許文献１】特開２０１３−６６２４号公報
【発明の概要】
【発明が解決しようとする課題】
【０００９】
本発明は上記のような事情に鑑みてなされたもので、開封後、再封のため折り返して折癖が付いても、流路が閉塞しにくく、注ぎだすことのできる包装袋を提供することを課題としている。
【課題を解決するための手段】
【００１０】
本発明は係る課題に鑑みなされたものであり、請求項１の発明は、注出路のある上部を折り返し予定線で折り返して係止し、内容物の流出を防止した包装袋であって、
前記注出路が注出路シール部によって形成され、前記注出路の下側に位置する前記注出路シール部の上縁が、前記折り返し予定線を越えて、直線状に形成されていることを特徴と
する包装袋である。
【００１１】
本発明の包装袋は、以上のような構成であって、注出路の下側に位置する注出路シール部の上縁が、折り返し予定線を越えて、直線状に形成されているので、開封後、再封のために折り返して折癖が付いても、再度注ぎだすときに流路が閉塞しにくく、注ぎだすことができる。
【００１２】
本発明の請求項２の発明は、前記注出路の先端部分に注ぎ口が設けられ、該注ぎ口が包装袋の下部の幅より、外側に位置していることを特徴とする請求項１に記載の包装袋である。
【００１３】
本発明は、注ぎ口が包装袋の下部の幅より、外側に位置しているので、注出路を形成する注出路シール部などによって、内容物収納部を狭めることがなく、また、形状が機能的で優れている。
【００１４】
本発明の請求項３の発明は、前記注ぎ口の設けられた側のサイドシール部に接続し、シール部により囲まれた未シール部が設けられ、該未シール部の表裏いずれかのフィルムに、折り返した注ぎ口を差し込み係止する差込部を設けたことを特徴とする請求項１または２に記載の包装袋である。
【００１５】
シール部により囲まれた未シール部が設けられ、未シール部の表裏いずれかのフィルムに、折り返した注ぎ口を差し込み係止する差込部が設けられていて、注ぎ口を差込部に差し込み係止すると、注出口が表裏のフィルムの間に位置するので、注出口の周辺に付着した液体などの内容物が、未シール部の中には垂れても、包装袋の外面に垂れ落ちて汚すことがない。
【００１６】
本発明の請求項４の発明は、注ぎ口を開封したときに、下側の前記注出路シール部とサイドシール部が凹部を形成し、前記折り返し予定線が、前記凹部に位置することを特徴とする請求項１から３のいずれか１項に記載の包装袋である。
【００１７】
本発明は、注ぎ口を開封したときに、下側の前記注出路シール部とサイドシール部が凹部を形成し、前記折り返し予定線が、前記凹部に位置するので、容易に折返し予定線で折ることができる。
【００１８】
本発明の請求項５の発明は、前記折り返し予定線の位置にハーフカット線を設けたことを特徴とする請求項１から４のいずれか１項に記載の包装袋である。
【００１９】
本発明は、折返し予定線にハーフカット線を設けたので、容易に折返し予定線で折ることができる。
【００２０】
本発明の請求項６の発明は、前記包装袋の底部に、二つ折りした底テープの折り部を上にして差し込み、舟底型にシールした底シール部を設けたことを特徴とする請求項１から５のいずれか１項に記載の包装袋である。
【００２１】
本発明は、包装袋の底部に、二つ折りした底テープの折り部を上にして差し込み、舟底型にシールした底シール部を設けたので、平袋と比較して、容量を増やすことができるのはもとより、仮に係止が外れてしまった場合でも、底部を下にして立てておけば、即座に内容物が零れることがない。
【００２２】
本発明の請求項７の発明は、１枚のフィルムを折って、折部が前記注ぎ口の上端になる
ようにして、前記包装袋の天部を形成したことを特徴とする請求項１から６のいずれか１項に記載の包装袋である。
【００２３】
本発明は、１枚のフィルムを折って、折部が注ぎ口の上端になるようにして天部を形成したので、注ぎ口の上下がシール部になっている場合より、表裏のフィルムが離れやすくなり、表裏のフィルムが広がって、注ぎ口の幅の割に流量を多くすることができる。また、詰め替えに用いる場合、詰め替え先の繰り返し使用容器の口部が小さくても、注ぎ口の上にシール部がない分、口部に差し込みやすい。
【発明の効果】
【００２４】
本発明の包装袋は、開封後、再封のため折り返して折癖が付いても、折癖による流路の閉塞が起こりにくく、注ぎだすことができる。
【図面の簡単な説明】
【００２５】
【図１】本発明の包装袋の一例を模式的に示した説明図である。
【図２】図１のＸ−Ｘ断面図である。
【図３】本発明の包装袋の一例の開封した状態を模式的に示した説明図である。
【図４】本発明の包装袋の一例を開封後、折り返して係止した状態を模式的に示した説明図である。
【発明を実施するための形態】
【００２６】
以下、本発明を実施するための形態につき説明する。
図１は、本発明の包装袋の一例を模式的に示した説明図である。
図２は、図１のＸ−Ｘ断面図である。
【００２７】
本例の包装袋１００は、図１に示すように、１枚のフィルムを折って、表裏のフィルムとし、左サイドシール部１と右サイドシール部２が設けられている。フィルムの折り部３は、左サイドシール部１の上方に設けた注ぎ口４の上端に位置している。
【００２８】
注ぎ口４は、注出路５の先端部分に設けられている。注出路５は、折り部３と上側注出路シール部６、および、下側注出路シール部７によって形成されている。注出路５には、外側に凸の筋状のエンボス８が設けられていて、内容物を注ぎだすときに注出路５が閉塞するのを防いでいる。下側注出路シール部７は、左サイドシール部１と一体になっていて、広幅シール部になっている。
【００２９】
注ぎ口４の下方には、左サイドシール部１、および、左サイドシール部１に接続したシール部９により囲まれた未シール部１０が設けられている。尚、未シール部１０を囲むシール部の一部は、下側注出路シール部７になっている。
【００３０】
そして、未シール部１０に、注ぎ口４を差し込んで係止する差込口１１が表側のフィルムに設けられている。差し込み口１１は、切れ目または長円形などの細長い貫通孔で設けられている。
【００３１】
図２のように、未シール部１０は表裏のフィルムと左サイドシール部１やシール部９で囲まれていて、表フィルムに差込部１１が設けられている。この差込部１１から注ぎ口４を未シール部１０に差し込み係止するようになっている。
【００３２】
また、折り返し予定部１２が、水平方向に設けられ、下側注出路シール部７の上縁は、折り返し予定部１２を越えて、直線状に形成されている。折り返し予定部１２は、印刷などで表示することができる。本例では、ハーフカット線が設けられていて、これにより折
り返しやすくなっている。
【００３３】
ハーフカット線は半抜き加工で設けることもできるが、炭酸ガスレーザなどのレーザでハーフカット線を設けることが好ましい。また、折り返し予定部１２に、複数の細かな傷加工を帯状にして設けてもよい。
【００３４】
下側注出路シール部７と左サイドシール部１が一体になっている広幅シール部には、注ぎ口４への開封を誘導し、注ぎ口４を開封する開封線１３が設けられている。開封線１３は、ハーフカット線で設けられている。
【００３５】
開封線１３は、未シール部１０に沿って下から内方に向かって傾斜して伸び、外方に折れ曲がって、下側注出路シール部７の上縁に沿って進み、また折れ曲がって、注ぎ口を開封するようになっている。
【００３６】
上側注出路シール部６の図で右側は、内容物を充填する充填口１４として、未シールになっている。充填後、シールされて天シール部となり、折部３と共に天部を形成するようになっている。
【００３７】
包装袋１００の下端部には、表裏のフィルムの間に二つ折りした底テープ１５がその折り部を上にして差し込まれ、舟底型にシールされた底シール部１６が形成されている。これにより、包装袋１００は、同寸の平袋より、容量を増やすことができる。また、折り返して再封した係止が外れてしまった場合でも、底部を下にして立てておけば、即座に内容物が零れることがない。
【００３８】
図３は、本発明の包装袋の一例の開封した状態を模式的に示した説明図である。
図４は、本発明の包装袋の一例を開封後、折り返して係止した状態を模式的に示した説明図である。
【００３９】
図１の包装袋に充填口１４から内容物を充填し、シールして天シール部１４ａを設ける。これにより、内容物が充填、密封された包装袋１００ができる。この包装袋１００の開封線１３を切断し、注ぎ口４を開封すると、図３のようになり、注ぎ口４から内容物を注ぎ出すことができる。
【００４０】
このとき、開封線１３を切断し、注ぎ口４を開封すると、下側注出路シール部７と左サイドシール部１が凹部１７を形成する。折り返し予定線１２の左端部はこの凹部１７に位置するようになる。折り返し予定線１２で袋上部を折り返すとき、凹部１７により折りやすくなる。
【００４１】
注ぎ口４は、包装袋１００の下部の幅より、外側に位置していて、注出路５を形成する注出路シール部７などによって、内容物収納部を狭めることがなく、また、形状が機能的で優れている。
【００４２】
内容物を注ぎだした後、まだ内容物が残っている場合は、折り返し予定線１２で上部を折り返して、再封し、残しておくことができる。すなわち、図４のように、折り返し予定線１２で折り返し、注出口４を差込部１１から差し込んで係止させる。
【００４３】
このように注出口４が未シール部１０の空間内に収納されるので、注ぎ口４の周囲や内部から、内容物が包装袋１００の外面に垂れることがなく、液滴などは未シール部１０の中に落ち、外面を汚すことがない。
【００４４】
本例の包装袋１００を製造するには、製袋機上で、表裏フィルムに差込部１１とエンボス８を設けて、底部に底テープ１５を挟み込みながら、表裏フィルムを折部３に合わせ折り、底シール部１６やその他のシール部１、２，６、７、９をシールし、折り返し予定線１２や開封線１３の位置にレーザ加工でハーフカット線を設け、外形を抜き加工で形成すれば、図１に示すような、包装袋が製造できる。
【００４５】
本発明の包装袋は、以上のように、注出路の下側に位置する注出路シール部の上縁が、折り返し予定線を越えて、直線状に形成されているので、開封後、再封のために折り返して折癖が付いても、再度注ぎだすときに流路が閉塞しにくく、注ぎだすことができる。
【００４６】
また、再封のために、チャックや、キャップ、スパウトなどを使用しないので、必要な樹脂量を削減することができ、環境負荷を低減することができる。また、製造方法も単純で、特別な工程も必要なく、製造コストも低減できる。
【符号の説明】
【００４７】
１００・・・包装袋
１・・・左サイドシール部
２・・・右サイドシール部
３・・・折部
４・・・注ぎ口
５・・・注出路
６・・・上部注出路シール部
７・・・下部注出路シール部
８・・・エンボス
９・・・シール部
１０・・・未シール部
１１・・・差込部
１２・・・折り返し予定線
１３・・・開封線
１４・・・充填口
１４ａ・・・天シール部
１５・・・底テープ
１６・・・底シール部
１７・・・凹部
【図１】
2016108011.tif 000003
【図２】
2016108011.tif 000004
【図３】
2016108011.tif 000005
【図４】
2016108011.tif 000006